(57)【要約】【課題】より体重の重いペットに対応可能なペット用キャリー付きカートを提供すること。【解決手段】このペット用キャリー付きカートのカート本体101は、それぞれが前輪22および後輪24を有する左右一対の側面組立体102と、左右一対の側面組立体102同士を連結する中央連結体103と、を有する。左右一対の側面組立体102および中央連結体103によってカート本体101の設計上の強度が担保されている。キャリー70の上縁枠体75を載置するための環状のキャリー支持体104が、左右一対の側面組立体102および中央連結体103のそれぞれの少なくとも一部によって形成されている。【選択図】図１
2015107700.tif 000002
【特許請求の範囲】
【請求項１】
ペットを乗せて搬送するための、ペット用キャリー付きカートにおいて、
前記ペットを収容するためのキャリーと、
前記キャリーが装着される折り畳み可能なカート本体と、を備え、
前記キャリーは、
上面開口を有するペット収容体と、
前記ペット収容体の上縁部に装着された上縁枠体と、を有し、
前記カート本体は、
それぞれが前輪および後輪を有する左右一対の側面組立体と、
前記左右一対の側面組立体同士を連結する中央連結体と、を有し、
前記左右一対の側面組立体および前記中央連結体によって前記カート本体の設計上の強度が担保されており、
前記キャリーの前記上縁枠体を載置するための環状のキャリー支持体が、前記左右一対の側面組立体および前記中央連結体のそれぞれの少なくとも一部によって形成されている、ペット用キャリー付きカート。
【請求項２】
前記左右一対の側面組立体のそれぞれは、前記前輪が下端部に装着された前脚と、前記後輪が下端部に装着された後脚と、を有し、
前記環状のキャリー支持体は、左右一対の側支持部、前記左右一対の側支持部の前端同士を連結する前支持部、および前記左右一対の側支持部の後端同士を連結する後支持部を有し、
前記前脚の上端部と前記後脚の上端部とが、互いに可動可能に接続されると共に、前記キャリー支持体の前記側支持部に接続されている、請求項１記載のペット用キャリー付きカート。
【請求項３】
前記前脚の前記上端部と前記後脚の前記上端部とを回動可能に支持する支持部材が、前記環状のキャリー支持体の前記側支持部に固定して接続されている、請求項２記載のペット用キャリー付きカート。
【請求項４】
前記カート本体は、前記キャリーを装着した状態で折り畳むことができるように構成されている、請求項１乃至３のいずれか一項に記載のペット用キャリー付きカート。
【請求項５】
前記環状のキャリー支持体は、左右一対の側支持部、前記左右一対の側支持部の前端同士を連結する前支持部、および前記左右一対の側支持部の後端同士を連結する後支持部を有し、
前記左右一対の側面組立体のそれぞれは、
上端部が前記側支持部の後方部分に回動可能に接続された後方リンク部材と、
一方の端部が前記前脚の中間部分に回動可能に接続された前方リンク部材と、
一方の端部が前記後脚の中間部分に回動可能に接続された中間リンク部材と、を有し、
前記後方リンク部材の他方の端部、前記前方リンク部材の他方の端部、および前記中間リンク部材が、互いに回動可能に接続されている、請求項１乃至４のいずれか一項に記載のペット用キャリー付きカート。
【請求項６】
前記左右一対の側面組立体のうちの一方の側面組立体の前記前方リンク部材の前記一方の端部と、他方の側面組立体の前記前方リンク部材の前記一方の端部とが、前方連結部材によって連結されている、請求項５記載のペット用キャリー付きカート。
【請求項７】
前記環状のキャリー支持体は、左右一対の側支持部、前記左右一対の側支持部の前端同士を連結する前支持部、および前記左右一対の側支持部の後端同士を連結する後支持部を有し、
前記前支持部および前記後支持部のそれぞれに、前記環状の上縁枠体との間に間隙を形成するための下方に湾曲した湾曲部が形成されている、請求項１乃至６のいずれか一項に記載のペット用キャリー付きカート。
【請求項８】
前記キャリーを前記カート本体に対して着脱自在に固定するための手段をさらに備えた、請求項１乃至７のいずれか一項に記載のペット用キャリー付きカート。
【請求項９】
前記ペット収容体の前記開口の上方を一体的に覆うドーム状の幌をさらに備えた請求項１乃至８のいずれか一項に記載のペット用キャリー付きカート。
【請求項１０】
前記幌は、その一部を開放するための機構を備えている、請求項９記載のペット用キャリー付きカート。
【発明の詳細な説明】
【技術分野】
【０００１】
本発明は、犬や猫などのペットを乗せて搬送するための、ペット用キャリー付きカートに関する。
【背景技術】
【０００２】
従来、ペットを収容して運ぶためのペット用キャリーが広く知られている。このようなペット用キャリーは、例えば、犬や猫などのペットとともに公共スペースを移動するために用いられる。
【０００３】
また、ペット用キャリーを支持して搬送するペット用カートも知られている。このようなペット用カートを用いれば、ユーザーはペットの重さの負担を強いられることなく、ペットと共に楽に移動することができる。
【０００４】
特許文献１には、ペット用キャリーを着脱自在に装着できる折り畳み可能なペット用キャリー付きカートが記載されている。
【先行技術文献】
【特許文献】
【０００５】
【特許文献１】特開２０１３−１２３４１３号公報
【発明の概要】
【発明が解決しようとする課題】
【０００６】
ところで、特許文献１に記載のペット用キャリー付きカートにおいては、キャリーを支持するためのキャリー支持体はその後端側の部材が不連続となっており、より体重の重いペットに対応するためには、キャリー支持体の十分な強度を確保するのが難しいという問題があった。
【０００７】
また、特許文献１に記載のペット用キャリー付きカートにおいては、キャリーを支持するためのキャリー支持体を、カート本体の設計上の強度を担保するための構造部材とは別に設けるある。このため、カートを製造するための部品点数が増大してしまうという問題があった。
【０００８】
そこで、本発明の目的は、より体重の重い（サイズの大きい）ペットに対応可能なペット用キャリー付きカートを提供することにある。
【０００９】
また、本発明の他の目的は、製造のための部品点数を低減することができるペット用キャリー付きカートを提供することにある。
【課題を解決するための手段】
【００１０】
上記課題を解決するために、本発明は、ペットを乗せて搬送するための、ペット用キャリー付きカートにおいて、前記ペットを収容するためのキャリーと、前記キャリーが装着される折り畳み可能なカート本体と、を備え、前記キャリーは、上面開口を有するペット収容体と、前記ペット収容体の上縁部に装着された上縁枠体と、を有し、前記カート本体は、それぞれが前輪および後輪を有する左右一対の側面組立体と、前記左右一対の側面組立体同士を連結する中央連結体と、を有し、前記左右一対の側面組立体および前記中央連結体によって前記カート本体の設計上の強度が担保されており、前記キャリーの前記上縁枠体を載置するための環状のキャリー支持体が、前記左右一対の側面組立体および前記中央連結体のそれぞれの少なくとも一部によって形成されている、ことを特徴とする。
【００１１】
また、好ましくは、前記左右一対の側面組立体のそれぞれは、前記前輪が下端部に装着された前脚と、前記後輪が下端部に装着された後脚と、を有し、前記環状のキャリー支持体は、左右一対の側支持部、前記左右一対の側支持部の前端同士を連結する前支持部、および前記左右一対の側支持部の後端同士を連結する後支持部を有し、前記前脚の上端部と前記後脚の上端部とが、互いに可動可能に接続されている。
【００１２】
また、好ましくは、前記前脚の前記上端部と前記後脚の前記上端部とを回動可能に支持する支持部材が、前記環状のキャリー支持体の前記側支持部に固定して接続されている。
【００１３】
また、好ましくは、前記カート本体は、前記キャリーを装着した状態で折り畳むことができるように構成されている。
【００１４】
また、好ましくは、前記環状のキャリー支持体は、左右一対の側支持部、前記左右一対の側支持部の前端同士を連結する前支持部、および前記左右一対の側支持部の後端同士を連結する後支持部を有し、前記左右一対の側面組立体のそれぞれは、上端部が前記側支持部の後方部分に回動可能に接続された後方リンク部材と、一方の端部が前記前脚の中間部分に回動可能に接続された前方リンク部材と、一方の端部が前記後脚の中間部分に回動可能に接続された中間リンク部材と、を有し、前記後方リンク部材の他方の端部、前記前方リンク部材の他方の端部、および前記中間リンク部材が、互いに回動可能に接続されている。
【００１５】
また、好ましくは、前記左右一対の側面組立体のうちの一方の側面組立体の前記前方リンク部材の前記一方の端部と、他方の側面組立体の前記前方リンク部材の前記一方の端部とが、前方連結部材によって連結されている。
【００１６】
また、好ましくは、前記環状のキャリー支持体は、左右一対の側支持部、前記左右一対の側支持部の前端同士を連結する前支持部、および前記左右一対の側支持部の後端同士を連結する後支持部を有し、前記前支持部および前記後支持部のそれぞれに、前記環状の上縁枠体との間に間隙を形成するための下方に湾曲した湾曲部が形成されている。
【００１７】
また、好ましくは、前記キャリーを前記カート本体に対して着脱自在に固定するための手段をさらに備える。
【００１８】
また、好ましくは、前記ペット収容体の前記開口の上方を一体的に覆うドーム状の幌をさらに備える。
【００１９】
また、好ましくは、前記幌は、その一部を開放するための機構を備えている。
【００２０】
なお、本明細書中において、ペット用キャリー付きカートに対する「前」、「後」、「上」、「下」、「前後方向」、および「上下方向」の用語は、特に指示がない場合、使用状態（展開状態）にあるペット用キャリー付きカートを操作するユーザーを基準とした「前」、「後」、「上」、「下」、「前後方向」、および「上下方向」を意味する。
【発明の効果】
【００２１】
本発明によれば、上述の特徴を備えることにより、より体重の重い（サイズの大きい）ペットに対応可能なペット用キャリー付きカートを提供することができる。
【００２２】
また、本発明によれば、製造のための部品点数を低減することができるペット用キャリー付きカートを提供することができる。
【図面の簡単な説明】
【００２３】
【図１】本発明の第一実施形態によるペット用キャリー付きカートのカート本体を示した斜視図。
【図２】図１に示したカート本体の側面図。
【図３】図２に示したカート本体を折り畳んだ状態を示した側面図。
【図４】図１に示したカート本体の第二実施形態によるペット用キャリー付きカートのカート本体を示した斜視図。
【図５Ａ】図１に示したペット用キャリー付きカートのキャリーに幌を装着した状態を示した側面図。
【図５Ｂ】図５Ａに示した幌の開閉動作を説明するための図。
【図５Ｃ】図５Ａに示した幌の開閉動作を説明するための図。
【図５Ｄ】図５Ａに示した幌の開閉動作を説明するための図。
【図５Ｅ】図５Ａに示した幌の開閉動作を説明するための図。
【図６】従来のペット用キャリー付きカートを示す斜視図。
【図７】図６に示されたカートを展開した状態で示す斜視図。
【図８】図７のカートを側方から示す側面図。
【図９】前後方向に折り畳んだ状態のカートを示す側面図。
【図１０】図９の状態からさらに幅方向に折り畳んだ状態のカートを示す正面図。
【図１１】図６に示されたペット用キャリーを示す斜視図。
【発明を実施するための形態】
【００２４】
以下、本発明の第一実施形態によるペット用キャリー付きカートについて図面を参照して説明する。
【００２５】
なお、本実施形態によるペット用キャリー付きカートは、上述した特許文献１に記載の従来のペット用キャリー付きカートを改良したものである。
【００２６】
そこで以下では、まず初めに、図６乃至図１１を参照して、特許文献１に記載の従来のペット用キャリー付きカートについて説明し、しかる後に従来のペット用キャリー付きカートとは異なる、本実施形態に特有の部分について説明する。
【００２７】
図６乃至図１１に示したように、特許文献１に記載のペット用キャリー付きカート１は、車輪２２，２４を有するカート本体２０と、カート本体２０に取り外し可能に支持されるペット用キャリー７０と、を有している。ペット用キャリー７０は、犬や猫等のペットを収容可能に構成された収容部材（容器）である。ペット用キャリー７０は、例えば、公共スペースをペットとともに移動する際に用いられる。ペット用キャリー７０は、上縁枠体７５と、上縁枠体７５に保持されたかご体８０と、を有している。上縁枠体７５がカート本体２０上に載置されることによって、ペット用キャリー７０がカート本体２０によって支持されるようになる。
【００２８】
図７〜図１０に示すように、カート１０は、折り畳み可能に構成されたカート本体２０と、カート本体２０に取り付けられペット用キャリー７０の上縁枠体７５を下方から支持するようになるキャリー支持体５０と、を有する。キャリー支持体５０は、カート本体２０に対して回動可能に接続され、カート本体２０の折り畳み動作時にカート本体２０に対して回動する。これにより、カート１０は、図６および図７に示された展開状態から図８に示された折り畳み状態へ折り畳むことができ、また、折り畳み状態から展開状態へと展開することができる。カート本体２０は、ハンドル４０、前脚２１および後脚２３を有している。前脚２１の下端には前輪２２が回転可能に保持され、後脚２３の下端には後輪２４が回転可能に保持されている。
【００２９】
まず、図６並びに図１１を参照して、ペット用キャリー７０について説明する。上縁枠体７５は、金属等の高剛性材料によって形成されている。上縁枠体７５には、キャリー支持体５０に設けられた固定具５３と係合する固定具受け７７が、キャリー支持体５０の固定具５３に対応して四つ設けられている。また、上縁枠体７５は、ペット用キャリー７０がカート１０のキャリー支持体５０によって支持された際に、キャリー支持体５０に被さるように形成された固定片７６を有している。そして固定片７６には溝７６ａが形成されており、キャリー支持体５０に設けられた支持ピン５２がこの溝７６ａに嵌り込むようになる。
【００３０】
かご体８０は、上縁枠体７５から垂下する筒状の側壁部８５と、側壁部８５に接続されて筒状の側壁部８５を閉鎖する底部８１と、を有している。側壁部８５と底部８１とによって、犬や猫等のペットを収容するスペースが形成されている。このかご体８０は、上縁枠体７５に取り外し可能に取り付けられている。
【００３１】
側壁部８５は、布地等の柔軟性を有した材料によって形成され、底部８１は、或る程度の剛性を有した材料から構成されている。とりわけ、図１１に示すように、ペット用キャリー７０がカート１０によって支持された際に前後方向に延びるリブ８２と、ペット用キャリー７０がカート１０によって支持された際に幅方向に延びるリブ８３が、底部８１に形成されており、底部８１の剛性を高めている。この結果、上縁枠体７５がカート１０のキャリー支持体５０によって下方から支持されてペット用キャリー７０がカート１０に装着された状態において、上縁枠体７５から垂下したかご体８０内に、ペット用を収容するためのスペースが維持される。
【００３２】
加えて、上縁枠体７５には、略Ｕ字状に形成された二つの揺動片９７が、取り付けられている。図１１に示すように、揺動片９７は、Ｕ字の両端部に相当する部分を上縁枠体７５に取り付けられ、ペット用キャリー７０がカート１０によって支持された際に幅方向と平行となる揺動軸線を中心として、上縁枠体７５に対して揺動可能となっている。図１１に示すように、揺動片９７は、上縁枠体７５からかご体８０内に垂下した状態において、底部８１に形成されたリブ８２，８３と係合して、その位置に保持されるようになる。したがって、ペット用キャリー７０をカート１０から取り外して使用する際にも、側壁部８５が延びた状態に維持される。これにより、ペット用キャリー７０をカート１０から取り外して使用する際にも、底部８１が上縁枠体７５から離間した位置に保持され、上縁枠体７５から垂下したかご体８０内に、ペットを収容するためのスペースが確保される。
【００３３】
なお、図６に示すように、上縁枠体７５には、一対のキャリーベルト７１が、取り外し可能に取り付けられている。
【００３４】
一方、かご体８０を変形させて、揺動片９７とリブ８２，８３との係合を解除すると、揺動片９７が揺動可能となる。揺動片９７が上縁枠体７５に対して揺動すると、側壁部８５が変形して、底部８１が上縁枠体７５に接近することが可能となる。これにより、カート１０から取り外したペット用キャリー７０を、不使用時に、保管等に適した小さな寸法へと折り畳むことができる。
【００３５】
なお、二つの揺動片９７は、ベルト状の連結片９８によって、連結されている。連結片９８は、揺動片９７の底部８１に接触するようになる部分に、接続されている。揺動片９７がリブ８２，８３と係合している状態において、この連結片９８を引き上げると、揺動片９７がリブ８２，８３との係合を解除する方向に揺動する。これにより、ペット用キャリー７０を折り畳む際に、揺動片９７とリブ８２，８３との係合を容易に解除することができる。
【００３６】
ペット用キャリー７０には、幌９０がさらに設けられている。幌９０は、幌骨９２と、幌骨９２に支持された幌布９１と、を有している。幌骨９２は、互いに接近した状態と、互いから離間した状態と、の間を互いに対して揺動可能に構成されている。幌布９１は、幌骨９２が互いから離間した状態において張った状態となるように、幌骨９２に張設されている。
【００３７】
幌骨９２は、上縁枠体７５に取り外し可能に固定された第１幌骨９２ａと、第１幌骨９２ａに対して揺動可能に連結された第２幌骨９２ｂおよび第３幌骨９２ｃと、を有している。第１幌骨９２ａ〜第３幌骨９２ｃは、それぞれ、Ｕ字状に形成され、Ｕ字の両端部領域において互いに接続されている。そして、幌布９１のうちの第３幌骨９２ｃの近傍に、固定具９６が設けられている。この固定具９６は、上縁枠体７５と係合可能となっている。固定具９６を上縁枠体７５に留めることによって、幌９０は、ペット用キャリー７０の上縁枠体７５の全域を覆うように広がる。このとき、幌７０とかご体８０との間のスペースに、ペットを外部から遮断して収容することが可能となる。
【００３８】
カート１０は、車輪２１，２３を有した折り畳み可能なカート本体２０と、カート本体２０に装着されたキャリー支持体５０と、カート本体２０とキャリー支持体５０とを連結する連結リンク材５９と、を有している。また、図６に示すように、カート本体２０には、小物等を収容するためのかご１８が装着されている。図６〜図１０に示すように、カート１０は、全体的に、前後方向に沿った幅方向中心面を中心として概ね対称な構成となっている。
【００３９】
図６〜図１０に示すように、カート本体２０は、それぞれ左右に配置された一対の前脚２１と、それぞれ左右に配置された一対の後脚２３と、それぞれ左右に配置された一対の第１〜４リンク材３１，３２，３３，３４と、を有している。前脚２１の下端には、前輪２２が設けられ、後脚２３の下端には、後輪２４が設けられている。
【００４０】
前脚２１の上端部分は、対応する側（左側または右側）に配置された第１リンク材３１の前方部分に回動可能（揺動可能）に接続されている。同様に、後脚２３の上端部分が、対応する側（左側または右側）に配置された第１リンク材３１の前方部分に回動可能（揺動可能）に接続されている。第１リンク材３１は、前後方向に延びる上面と、上面から垂下する一対の側面と、を有した下方に開口した中空状の部材として、例えば樹脂によって、構成されている。
【００４１】
また、第２リンク材３２が、対応する側（左側または右側）に配置された第１リンク材３１の後方部分、とりわけ後方部分のうちの後端部分に回動可能（揺動可能）に接続されている。なお、ここで説明する形態において、第２リンク材３２は、ハンドル４０の下端に接続されている。ハンドル４０は、第２リンク材３２から延び出た部分によって構成されている。より具体的には、ハンドル４０は、各第２リンク材３２の上端部分から延び出た一対の延出部４１と、一対の延出部４１の間を連結する連結部４２と、を有しており、Ｕ字状の外形状を持っている。第２リンク材３２は、ハンドル４０の延出部４１と一体的に、例えば金属製のパイプから形成され得る。
【００４２】
左側の第３リンク材３３は、左側の前脚２１と左側の第２リンク材３２とを連結し、右側の第３リンク材３３は、右側の前脚２１と右側の第２リンク材３２とを連結している。各第３リンク材３３は、その前方部分を前脚２１の中間部分に回動可能に接続され、その後方部分を第２リンク材３２の下方部分、とりわけ下方部分のうちの下端部分に回動可能に接続されている。なお、ここで説明する第３リンク材３３は、図８に示すように、金属製の本体部３３ａと、本体部３３ａの後端に設けられた後端カバー部３３ｂと、本体部３３ａの前端に設けられた前端カバー部３３ｃと、を有している。この第３リンク材３３は、後端カバー部３３ｃにおいて第２リンク材３２と回動可能に連結され、前端カバー部３３ｃにおいて前脚２１と回動可能に連結されている。
【００４３】
なお、図７および図１０によく示されているように、第３リンク材３３の前端カバー部３３ｃには、フック４８およびフック受け４９がそれぞれ設けられている。フック４８およびフック受け４９は、カート１０を折り畳んだ際に互い係合して、カート１０を折り畳んだ状態に維持する。
【００４４】
次に、左側の第４リンク材３４は、左側の後脚２３と左側の第２リンク材３２とを連結し、右側の第４リンク材３４は、右側の後脚２３と右側の第２リンク材３２とを連結している。各第４リンク材３４は、その一部分において後脚２３の中間部分に回動可能（揺動可能）に接続され、他の部分において第２リンク材３２の下方部分、とりわけ下方部分のうちの下端部分に回動可能に接続されている。第４リンク材３４は、樹脂によって形成された板状材として構成され得る。
【００４５】
なお、第２リンク材３２の両側方に、第３リンク材３３および第４リンク材３４が、第２リンク材３２に対して回動可能に接続されている。結果として、第３リンク材３３と第４リンク材３４も、互いに対して回動可能に接続されている。また、前脚２１，後脚２３，および、第１〜第４リンク材３１，３２，３３，３４の互いに対する回動軸線は、互いに平行となっている。また、第２リンク材３２と第４リンク材３４との回動軸線と、第３リンク材３３と第４リンク材３４との回動軸線は、一直線上に揃っている。
【００４６】
さらに、カート本体２０は、幅方向に延びる構成要素として、一対の前脚２１間を連結する第１幅方向連結材３６と、一対の第３リンク材３３を連結する第２幅方向連結材３７と、一対の後脚２３間を連結する第３幅方向連結材３８と、を有している。図７によく示されているように、第１幅方向連結材３６、第２幅方向連結材３７および第３幅方向連結材３８は、屈曲可能に構成され、それぞれ、幅方向に沿って離間した一対のヒンジ３６ａ，３６ｂ，３７ａ，３７ｂ，３８ａ，３８ｂを有している（図７参照）。同様に、上述したハンドル４０の幅方向に延びる連結部４２も、屈曲可能に構成され、幅方向に沿って離間して位置する一対のヒンジ４２ａ，４２ｂを有している。
【００４７】
図８によく示されているように、第２リンク材３２には、第４リンク材３４と係合可能なロック部材２８が設けられている。ロック部材２８は、第２リンク材３２に対して摺動可能となっており、第２リンク材３２上において、第２リンク材３２と第４リンク材３４との回動軸線の側に向けて付勢されている。また、ハンドル４０の連結部４２には、ロック部材２８を遠隔操作可能なロック操作機構２７が設けられている。図８に示すように、ロック部材２８は、第２リンク材３２上において、第４リンク材３４の側へ向けて付勢され、第４リンク材３４と係合するようになる。ロック部材２８が第４リンク材３４と係合すると、第２リンク材３２と第４リンク材３４との相対回動が規制され、カート本体２０が展開された状態に維持されるようになる。一方、ロック操作機構２７を用いてロック部材２８を第４リンク材３４から引き離すことにより、第２リンク材３２と第４リンク材３４との相対回動が可能となる。
【００４８】
次に、以上のようなカート本体２０に取り付けられたキャリー支持体５０および連結リンク材５９について、説明する。なお、キャリー支持体５０は、上述したように、ペット用キャリー７０を支持するために用いられる。また、連結リンク材５９は、キャリー支持体５０をカート本体２０に連結するために用いられている。そして、キャリー支持体５０及び連結リンク材５９は、カート本体２０の折り畳み動作および展開動作にともなって、カート本体２０とともに折り畳まれる又は展開されるように、構成されている。
【００４９】
図６〜図１０に示すように、キャリー支持体５０は、ペット用キャリー７０の上縁枠体７５を下方から支持する部材であり、平面視において、上縁枠体７５の輪郭に沿った輪郭を有している。ただし、図示された形態では、キャリー支持体５０は環状に構成されておらず、上縁枠体７５の一部分の輪郭に沿った輪郭を有している。
【００５０】
図７および図８に示すように、具体的な構成として、キャリー支持体５０は、一対の側フレーム部材（側支持部）５１と、一対の側フレーム部材５１を連結する連結フレーム部材（前支持部）５４と、一対の側フレーム部材５１の後端部から左右方向内側に延在する一対の後支持片（後支持部）５１Ａを有している。各側フレーム部材５１は、その後方部分において、ハンドル４０に回動可能に接続されている。図８に示すように、左側の側フレーム部材５１は、ハンドル４０の左側の延出部４１に接続されており、右側の側フレーム部材５１は、ハンドル４０の右側の延出部４１に接続されている。各側フレーム部材５１の延出部４１への接続箇所（回動軸線）は、各第１リンク材３１の第２リンク材３２への接続箇所（回動軸線）よりも上方に位置している。
【００５１】
一対の側フレーム部材５１に対応して、一対の連結リンク材５９が設けられている。左側の連結リンク材５９は、左側の側フレーム部材５１および左側の第１リンク材３１のそれぞれに対して回動可能に接続されており、右側の連結リンク材５９は、右側の側フレーム部材５１および右側の第１リンク材３１のそれぞれに対して回動可能に接続されている。カート本体２０が展開されている状態において、連結リンク材５９は、第１リンク材３１から上方に延び出ている。そして、カート本体２０が展開されている状態において、カート１０の側面視において、側フレーム部材５１は、概ね、前後方向に延びるようになっている。
【００５２】
一方、図７によく示されているように、連結フレーム部材５４は、各側フレーム部材５１の前方側の端部に接続されている。図７によく示されているように、連結フレーム部材５４は、カート本体２０が展開された状態において一対の側フレーム部材５１への接続箇所の間で下方に突出するように、言い換えると、当該接続箇所よりも下方に位置するように、曲がっている。したがって、図６に示すように、ペット用キャリー７０がキャリー支持体５０によって下方から支持された状態で、連結フレーム部材５４は、一対の側フレーム部材５１への接続箇所の間において、ペット用キャリー７０の上縁枠体７５から離間するようになる。すなわち、ペット用キャリー７０がキャリー支持体５０によって下方から支持された状態で、一対の側フレーム部材５１の間において、連結フレーム部材５４と上縁枠体７５との間に隙間Ｓ（図６参照）が形成される。
【００５３】
連結フレーム部材５４は、側フレーム部材５１に対して回動可能に接続されている。すなわち、連結フレーム部材５４と左側の側フレーム部材５１との接続箇所にヒンジ５４ａが形成され、同様に、連結フレーム部材５４と右側の側フレーム部材５１との接続箇所にヒンジ５４ｂが形成されている。
【００５４】
なお、側フレーム部材５１のカート本体２０に対する回動軸線、並びに、連結リンク材５９のカート本体２０に対する回動軸線および連結リンク材５９の側フレーム部材５１に対する回動軸線は、互いに平行となっており、且つ、カート本体２０の前脚２１，後脚２３，および、第１〜第４リンク材３１，３２，３３，３４の互いに対する回動軸線とも平行となっている。さらに、連結リンク材５９と第１リンク材３１との回動軸線は、前脚２１と第１リンク材３１との回動軸線と一直線上に揃っている。
【００５５】
図６によく示されているように、キャリー支持体５０の側フレーム部材５１には、キャリー支持体５０によって支持されたペット用キャリー７０の固定片７６の溝７６ａに入り込むようになる、支持ピン５２が設けられている。支持ピン５２と溝７６ａとが係合することにより、ペット用キャリー７０がキャリー支持体５０によって安定して所定の位置に保持されるようになる。また、キャリー支持体５０の側フレーム部材５１には合計四つの固定具５３が設けられている。各固定具５３は、ペット用キャリー７０に設けられた四つの固定具受け７７のうちの一つと嵌合して、ペット用キャリー７０をカート１０に対して固定することができる。
【００５６】
以上、特許文献１に記載の従来のペット用キャリー付きカート１について説明した。
【００５７】
以下では、本実施形態によるペット用キャリー付きカート１００に関し、上述した従来のペット用キャリー付きカート１とは異なる本実施形態に特有の部分を中心に、図１乃至図４を参照して説明する。
【００５８】
本実施形態によるペット用キャリー付きカート１００のカート本体１０１は、上述した従来のカート本体２０（図６等）と同様に、それぞれが前輪２２および後輪２４を有する左右一対の側面組立体１０２と、左右一対の側面組立体１０２同士を連結する中央連結体１０３と、を有する。左右一対の側面組立体１０２および中央連結体１０３によって、カート本体１０１の設計上の強度が担保されている。
【００５９】
そして、本実施形態によるペット用キャリー付きカート１００は、上述した従来のペット用キャリー付きカート１とは異なり、ペット用キャリー７０の上縁枠体７５を載置するためのキャリー支持体１０４が環状に形成されている。また、環状のキャリー支持体１０４は、左右一対の側面組立体１０２および中央連結体１０３のそれぞれの少なくとも一部によって形成されている。
【００６０】
具体的には、環状のキャリー支持体１０４は、左右一対の側支持部１０５、左右一対の側支持部１０５の前端同士を連結する前支持部１０６、および左右一対の側支持部１０５の後端同士を連結する後支持部１０７を有している。
【００６１】
環状のキャリー支持体１０４の左右一対の側支持部１０５は、側面組立体１０２の一部として構成されている。環状のキャリー支持体１０４の前支持部１０６および後支持部１０６は、中央連結体１０３の一部として構成されている。
【００６２】
即ち、環状のキャリー支持体１０４は、側面組立体１０２および中央連結体１０３のそれぞれの少なくとも一部を構成しており、カート本体１０１の設計上の強度を担保する機能を果たしている。
【００６３】
カート本体１０１の前脚２１の上端部と後脚２３の上端部とが、支持部材１１２において互いに回動可能に接続されており、支持部材１１２が、環状のキャリー支持体１０４の側支持部１０５に固定されている。
【００６４】
従来のペット用キャリー付きカート１のカート本体２０においては、前脚２１および後脚２３の上端部が、キャリー支持体５０ではなく、キャリー支持体５０とは別の第１リンク材３１に回動可能に接続されている（図８）。
【００６５】
これに対して、本実施形態によるペット用キャリー付きカート１００においては、上述したように後脚２３の上端部がキャリー支持体１０４に接続されている。本実施形態においては、環状のキャリー支持体１０４が、カート本体１０１の設計上の強度を担保するための構造部材であるため、このように後脚２３の接続部としてキャリー支持体１０４を利用することができる。これにより、ペット用キャリー付きカート１００を製造するための部品点数を減らすことができる。
【００６６】
なお、本実施形態によるペット用キャリー付きカート１００のカート１０１本体は、従来のペット用キャリー付きカート１のカート本体２０と同様に、左右一対の側面組立体１０２のそれぞれが、上端部がキャリー支持体１０４の側支持部１０５の後方部分に回動可能に接続された後方リンク部材３２（従来の第２リンク材３２に対応）と、一方の端部が前脚２１の中間部分に回動可能に接続された前方リンク部材３３（従来の第３リンク材３３に対応）と、一方の端部が後脚２３の中間部分に回動可能に接続された中間リンク部材３４（従来の第４リンク材３４に対応）と、を有している。後方リンク部材３２の他方の端部、前方リンク部材３３の他方の端部、および中間リンク部材３４が、互いに回動可能に接続されている。
【００６７】
図３に示したように、本実施形態におけるカート本体１０１は、ペット用キャリー７０を装着した状態でカート本体１０１を前後に折り畳むことができるように構成されている。カート本体１０１を折り畳んだ状態において、ペット用キャリー７０の上面開口が斜め後方を向くようになっている。
【００６８】
なお、従来のペット用キャリー付きカート１のカート本体２０は、前後方向への折り畳みと左右方向への折り畳みが可能な構造（三つ折り構造）となっているが（図１０）、本実施形態によるペット用キャリー付きカート１００のカート本体１０１は、前後方向への折り畳みのみが可能な構造となっている。そのため、例えば本実施形態における環状のキャリー支持体１０４は、従来のキャリー支持体５０とは異なり、左右方向への折り畳みが可能な構造とはなっていない。左右の前脚２１同士および左右の後脚２３同士を連結する前後の中央連結体１０３も、折り曲げ可能な構造とはなっていない。
【００６９】
本実施形態によるペット用キャリー付きカート１００も、従来のペット用キャリー付きカート１と同様に、ペット用キャリー７０をカート本体１０１に対して着脱自在に固定するための手段（従来の固定具５３、固定具受け７７に相当）を備えている。
【００７０】
従来のペット用キャリー付きカート１のキャリー支持体５０においては、その後方部分が切れているので、ペット用キャリー７０を持ち上げる際には、その切れ目を利用してペット用キャリー７０の縁部を掴むことができる。
【００７１】
これに対して本実施形態においては、上記の通りキャリー支持体１０４が環状を成しており、その後方部分が切れていない。そこで、ペット用キャリー７０を持ち上げる際、或いはペット用キャリー７０を載置する際にユーザーの指を差し入れるための間隙Ｓ（図６）を確保するために、キャリー支持体１０４の前支持部１０６に形成された湾曲部１０８と同様な湾曲部１０９が、後支持部１０７にも形成されている。
【００７２】
本実施形態によるペット用キャリー付きカート１００によれば、ペット用キャリー７０を支持するためのキャリー支持体１０４が、カート本体１０１の設計上の強度を担保するための構造部材の一部を構成しているので、従来のペット用キャリー付きカート１に比べて、カート１００を製造するための部品点数を減らすことができる。
【００７３】
また、ペット用キャリー７０を支持するためのキャリー支持体１０４を環状に形成すると共に、カート本体１０１の設計上の強度をキャリー支持体１０４にも分担させるようにしたので、キャリー支持体１０４の強度を従来よりも高めることができる。このため、より体重の重い（サイズの大きい）ペットを搬送きる強度の高いペット用キャリー付きカート１００を提供することができる。
【００７４】
次に、本発明の第二実施形態によるペット用キャリー付きカートについて図４を参照して説明する。
【００７５】
図４に示したように本実施形態によるペット用キャリー付きカートのカート本体１０１Ａにおいては、左右一対の側面組立体１０２のうちの一方の側面組立体１０２の前方リンク部材３３の一方の端部と、他方の側面組立体１０２の前方リンク部材３３の一方の端部とが、前方連結部材１１０によって連結されている。前方リンク部材３３は、三角形状の板金１１１を介して前脚２１に回動可能に連結されている。左右の前方リンク部材３３と前方連結部材１１０とを、例えば一本のパイプ部材を折り曲げることにより製造することができる。
【００７６】
本実施形態によれば、左右の前方リンク部材３３の前端同士を前方連結部材１１０で連結したので、この前方連結部材１１０を、カート本体１０１の設計上の強度を確保するための構造部材として利用することができる。
【００７７】
図５Ａは、上述した第一実施形態および第二実施形態におけるペット用キャリー７０にドーム状の幌１２０を装着した状態を示している。ドーム状の幌１２０は、円弧状の複数の骨部材１２１と、これらの骨部材１２１の間に張設された布部材１２２とを備えている。
【００７８】
布部材１２２は、二枚の平面を縫い合わせることで、立体的となり、留め具無しで様々なアレンジが可能となり、それぞれの開放状態で固定することができる。即ち、左右の部分の布地を中央部分の布地の上に折り返すことにより、左右の部分に開口（窓）を形成することができる。
【００７９】
図５Ｂ乃至図５Ｅに示したように、幌１２０は段階的に開放することが可能であり、必要に応じて大きな窓を作ったり、或いは小さな窓を作ったり、両側に窓を作ったり、片側に窓を作ったりすることができる。
【００８０】
犬などのペットは、閉鎖された空間（キャリーなど）では熱中症対策が重要なので、幌窓を大きく開くことで熱中症を防止することができる。
【００８１】
なお、布部材１２２とは別に、布部材１２２の下面側にメッシュ（網目）生地を張設して、幌窓を開けた状態でも、メッシュ生地によってペット用キャリー７０の上方が覆われている状態にすることもできる。このようにすれば、通気性を十分に確保しつつ、ペット用キャリー７０からのペットの飛び出しを防止することができる。
【符号の説明】
【００８２】
２１  前脚
２２  前輪
２３  後脚
２４  後輪
３２  後方リンク部材
３３  前方リンク部材
３４  中間リンク部材
７０  ペット用キャリー
７５  キャリーの上縁枠体
１００  ペット用キャリー付きカート
１０１、１０１Ａ  カート本体
１０２  側面組立体
１０３  中央連結体
１０４  環状のキャリー支持体
１０５  キャリー支持体の側支持部
１０６  キャリー支持体の前支持部
１０７  キャリー支持体の後支持
１０８  前支持部の湾曲部
１０９  後支持部の湾曲部
１１０  前方連結部材
１１１  板金
１１２  支持部材
１２０  幌
１２１  幌の骨部材
１２２  幌の布部材
【図１】
2015107700.tif 000003
【図２】
2015107700.tif 000004
【図３】
2015107700.tif 000005
【図４】
2015107700.tif 000006
【図５Ａ】
2015107700.tif 000007
【図５Ｂ】
2015107700.tif 000008
【図５Ｃ】
2015107700.tif 000009
【図５Ｄ】
2015107700.tif 000010
【図５Ｅ】
2015107700.tif 000011
【図６】
2015107700.tif 000012
【図７】
2015107700.tif 000013
【図８】
2015107700.tif 000014
【図９】
2015107700.tif 000015
【図１０】
2015107700.tif 000016
【図１１】
2015107700.tif 000017